【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
金属外筒（１２）に、平板（１５）と波板（１６）を重ね合わせ巻回して円筒形状にしたメタルハニカム構造体（１１）を圧入して接合した排気ガス浄化用ハニカムユニットにおいて、
前記メタルハニカム構造体（１１）は、前記メタルハニカム構造体（１１）の両端近傍に、前記波板（１６）の頂部に塗布したろう材により前記平板（１５）と前記波板（１６）がろう付けされる接合部（１７ａ、１７ｂ、１７ｃ、１７ｄ）を備え、
前記１枚の波板の外側面（２７）と内側面（２８）とに各々設けた第１接合部（１７ａ、１７ｃ）と第２接合部（１７ｂ、１７ｄ）とは、互いに、前記メタルハニカム構造体（１１）の軸方向にオフセットして設けられ、
前記メタルハニカム構造体（１１）は、前記金属外筒（１２）へ接合される接合帯（１８）を備え、
前記メタルハニカム構造体（１１）の両端近傍に備える接合部（１７ａ、１７ｂ、１７ｃ、１７ｄ）のうち、前記接合帯（１８）と重なる側に設けた接合部（１７ｃ、１７ｄ）の前記メタルハニカム構造体（１１）の軸方向のろう付け長さは、前記接合帯（１８）と重ならない側に設けた接合部（１７ａ、１７ｂ）のろう付け長さよりも長く、
前記ハニカム構造体（１１）の軸方向で、前記接合帯（１８）と重なる側に設けた前記接合部（１７ｃ、１７ｄ）の間に所定の長さをもつ隙間（δ１ａ）が形成され、
これらの隙間（δ１ａ）の全てが、前記接合帯（１８）の軸方向の幅内に位置するように形成されることを特徴とする排気ガス浄化用ハニカムユニット。
【請求項２】
金属外筒（１２）に、平板（１５）と波板（１６）を重ね合わせ巻回して円筒形状にしたメタルハニカム構造体（１１）を圧入して接合した排気ガス浄化用ハニカムユニットにおいて、
前記メタルハニカム構造体（１１）は、このメタルハニカム構造体（１１）の両端近傍に、前記波板（１６）の頂部に塗布したろう材により前記平板（１５）と前記波板（１６）がろう付けされる接合部（１７ａ、１７ｂ、１７ｃ、１７ｄ）を備え、
前記１枚の波板の外側面（２７）と内側面（２８）とに各々設けた第１接合部（１７ａ、１７ｃ）と第２接合部（１７ｂ、１７ｄ）とは、互いに、前記メタルハニカム構造体（１１）の軸方向にオフセットして設けられ、
前記メタルハニカム構造体（１１）は、前記金属外筒（１２）へ接合される接合帯（１８）を備え、
前記メタルハニカム構造体（１１）の軸方向で、前記接合帯（１８）は、前記平板（１５）を介して前記金属外筒（１２）と接合する波板の外側頂部の接合部（１７ｃ）と概ね重なり、且つ、前記メタルハニカム構造体（１１）の軸方向で、前記接合帯（１８）のろう付け長さは、前記接合部（１７ｃ）のろう付け長さに較べて長く、
前記ハニカム構造体（１１）の軸方向で、前記接合帯（１８）と重なる側に設けた前記接合部（１７ｃ、１７ｄ）の間に所定の長さをもつ隙間（δ１ａ）が形成され、
これらの隙間（δ１ａ）の全てが、前記接合帯（１８）の軸方向の幅内に位置するように形成されることを特徴とする排気ガス浄化用ハニカムユニット。
【請求項３】
前記接合帯（１８）は、前記メタルハニカム構造体（１１）の排気ガス出口側にのみ設けられていることを特徴とする請求項１又は請求項２記載の排気ガス浄化用ハニカムユニット。
【請求項４】
前記メタルハニカム構造体（１１）の軸方向で、前記排気ガス出口側に設けた接合帯の後端（１８ｂ）は、前記出口側に設けた接合部の後端（３６）よりも後方に配置されていることを特徴とする請求項１〜３のいずれか１項記載の排気ガス浄化用ハニカムユニット。
【請求項５】
前記波板の外側面（２７）及び内側面（２８）に設けられ隣接する前記２つの接合部（１７ａ、１７ｂ／１７ｃ、１７ｄ）は、前記メタルハニカム構造体（１１）の軸方向に、重なることなく配置されることを特徴とする請求項１記載の排気ガス浄化用ハニカムユニット。
【手続補正２】
【補正対象書類名】明細書
【補正対象項目名】０００７
【補正方法】変更
【補正の内容】
【０００７】
請求項１に係る発明は、金属外筒に、平板と波板を重ね合わせ巻回して円筒形状にしたメタルハニカム構造体を圧入して接合した排気ガス浄化用ハニカムユニットにおいて、ハニカム構造体は、ハニカム構造体の両端近傍に、波板の頂部に塗布したろう材により平板に波板がろう付けされる接合部を備え、１枚の波板の外側面と内側面とに各々設けた第１接合部と第２接合部とは、互いに、ハニカム構造体の軸方向にオフセットして設けられ、ハニカム構造体は、金属外筒へ接合される接合帯を備え、ハニカム構造体の両端近傍に備える接合部のうち、接合帯と重なる側に設けた接合部のメタルハニカム構造体の軸方向のろう付け長さは、接合帯と重ならない側に設けた接合部のろう付け長さよりも長く、ハニカム構造体の軸方向で、接合帯と重なる側に設けた接合部の間に所定の長さをもつ隙間が形成され、これらの隙間の全てが、接合帯の軸方向の幅内に位置するように形成されることを特徴とする。
【手続補正３】
【補正対象書類名】明細書
【補正対象項目名】０００８
【補正方法】変更
【補正の内容】
【０００８】
請求項２に係る発明は、金属外筒に、平板と波板を重ね合わせ巻回して円筒形状にしたメタルハニカム構造体を圧入して接合した排気ガス浄化用ハニカムユニットにおいて、ハニカム構造体は、このメタルハニカム構造体の両端近傍に、波板の頂部に塗布したろう材により平板と波板がろう付けされる接合部を備え、１枚の波板の外側面と内側面とに各々設けた第１接合部と第２接合部とは、互いに、ハニカム構造体の軸方向にオフセットして設けられ、ハニカム構造体は、金属外筒へ接合される接合帯を備え、メタルハニカム構造体の軸方向で、接合帯は、平板を介して金属外筒と接合する波板の外側頂部の接合部と概ね重なり、且つ、接合帯のろう付け長さは、接合部のろう付け長さに較べて長く、ハニカム構造体の軸方向で、接合帯と重なる側に設けた接合部の間に所定の長さをもつ隙間が形成され、これらの隙間の全てが、接合帯の軸方向の幅内に位置するように形成されることを特徴とする。
【手続補正４】
【補正対象書類名】明細書
【補正対象項目名】００２２
【補正方法】変更
【補正の内容】
【００２２】
【図１】本発明に係る排気ガス浄化用ハニカムユニットの斜視図である。
【図２】ハニカム構造体の構造を説明する模式図である。
【図３】図２のハニカム構造体が接合帯によって金属外筒へ接合されていることを説明する断面図である。
【図４】接合部と接合帯との位置関係を説明する図である。
【図５】図４の５−５線断面図であってハニカム構造体の構造を説明する側面図である。
【図６】図２及び図３の別実施例図である。
【図７】図４の別実施例図である。
【手続補正５】
【補正対象書類名】明細書
【補正対象項目名】００２５
【補正方法】変更
【補正の内容】
【００２５】
図１、図４〜５に示すように、金属製のハニカム構造体１１は、金属製の平板１５に金属製の波板１６を重ね合わせ、渦巻き状に巻回して製造した部材である。図において、金属製のハニカム構造体１１を筒状の金属外筒１２に圧入した後接合した状態が示されている。
【手続補正６】
【補正対象書類名】明細書
【補正対象項目名】００２７
【補正方法】変更
【補正の内容】
【００２７】
次に、ハニカム構造体の断面構造について説明する。
図２〜５に示すように、平板１５と波板１６を巻回してなるハニカム構造体１１は、ハニカム構造体１１の中心軸３３の周りにコアとなる平板１５が巻かれ、その外方に波板１６と平板１５とが交互に配置される。
【手続補正７】
【補正対象書類名】明細書
【補正対象項目名】００３０
【補正方法】変更
【補正の内容】
【００３０】
図３に示すように、ハニカム構造体１１は、ろう材２５によって金属外筒１２へ接合される接合帯１８を備えている。
接合帯１８は、メタルハニカム構造体の出口側２２にのみ設けられている。接合帯１８は、ハニカム構造体の出口側端部３４から入口側へ長さＢ１の長さをもつ。
【手続補正８】
【補正対象書類名】明細書
【補正対象項目名】００３１
【補正方法】変更
【補正の内容】
【００３１】
図４に戻り、ハニカム構造体の両端近傍に位置する入口側２１寄りの位置２３と出口側２２寄りの位置２４とに備える接合部１７ａ、１７ｂ、１７ｃ、１７ｄのうち、接合帯１８と重なる側に設けた接合部１７ｃ、１７ｄのメタルハニカム構造体１１の軸方向のろう付け長さ（Ａ１−δ１ａ）は、各々、接合帯１８と重ならない側に設けた接合部１７のろう付け長さ（Ａ２−δ１ｂ）よりも長い（（Ａ２−δ１ｂ）＜（Ａ１−δ１ａ））。ここで、δ１ａ、δ１ｂはハニカム構造体軸方向で２つの接合部間のすき間である。
【手続補正９】
【補正対象書類名】図面
【補正対象項目名】全図
【補正方法】変更
【補正の内容】
【図１】
2012215085.tif 000001
【図２】
2012215085.tif 000002
【図３】
2012215085.tif 000003
【図４】
2012215085.tif 000004
【図５】
2012215085.tif 000005
【図６】
2012215085.tif 000006
【図７】
2012215085.tif 000007